(57)【要約】【課題】大径または小径のディスクを簡単な構造により判別でき、装置全体の小型化、薄型化、及び軽量化を実現できるディスク記録再生装置を提供する。【解決手段】挿入口１０ａを介して本体１０内に挿入した大径または小径のディスク１を中心位置に導いて判別するディスク記録再生装置であって、本体１０内の挿入口１０ａ近傍に延在して両端の突出する突部２０ａ、２０ｂを有してディスク１の挿脱方向に摺動する連結アーム２０と、この連結アーム２０の突部２０ａ、２０ｂに一対に係合して中心に向かって付勢されて挿入口１０ａに延在する一対の当接部３０ａ、４０ａを有して本体１０内に挿入したディスク１を当接させて開くように摺動する検出アーム３０、４０とを備え、この検出アーム３０、４０が開くように摺動する動作はディスク１の挿入状態に応じて連結アーム２０が連動して大径ディスク用の動作と小径ディスク用の動作とに切り替え可能に設ける。【選択図】　　　図１
2004022040.tif 000002
【特許請求の範囲】
【請求項１】
挿入口を介して本体内に挿入した大径または小径のディスクを搬入路の中心位置に導いて判別するディスク記録再生装置において、
前記本体内の挿入口近傍に中心から両側に延在して両端の表面に突出する突部を有して前記ディスクの挿脱方向に摺動する連結アームと、
前記連結アーム両端の突部に各々一対に係合して中心に向かって付勢され、前記挿入口に延在する一対の当接部を有して前記本体内に挿入したディスクを当接させて両側に開くように摺動する検出アームとを備え、
前記検出アームが開くように摺動する動作は、前記ディスクの挿入状態に応じて前記連結アームが連動して前記突部の係合位置を変えることで前記大径ディスク用の動作と前記小径ディスク用の動作とに切り替え可能に設けたことを特徴とするディスク記録再生装置。
【請求項２】
請求項１に記載のディスク記録再生装置において、
前記検出アームは、前記連結アームの突部を係合するスライド溝を有し、このスライド溝内の前記連結アームが摺動する前記ディスク挿脱方向の一方に大径の幅まで案内する大径溝と他方に小径の幅まで案内する小径溝とを各々形成し、前記連結アームが連動して前記突部の係合位置を切り替えることを特徴とするディスク記録再生装置。
【請求項３】
請求項２に記載のディスク記録再生装置において、
前記連結アームは、前記突部を前記大径溝に係合させる前記ディスク挿脱方向の一方に付勢され、前記一対の検出アームが均等に開くように摺動すると前記付勢により前記突部を前記大径溝に係合し、前記検出アームの片側のみが大きく摺動すると他方側の検出アームが前記大径溝への付勢をロックして前記突部を前記小径溝に係合することを特徴とするディスク記録再生装置。
【請求項４】
請求項１乃至３のいずれかに記載のディスク記録再生装置において、
前記連結アーム及び検出アームは、前記本体内の挿入口近傍に配置され、この本体内の上部または下部いずれか一方に設置されていることを特徴とするディスク記録再生装置。
【発明の詳細な説明】
【０００１】
【発明の属する技術分野】
本発明はディスク記録再生装置に関する。
【０００２】
【従来の技術】
従来、ディスク記録再生装置は、ＣＤ、ＣＤ−ＲＯＭ、ＤＶＤなどの種々のディスクを挿入して情報を記録または再生いずれか一方或いは両方の情報処理を行っており、この際、大径（約１２ｃｍ）または小径（約８ｃｍ）のディスクを中心位置に誘導してディスク径を判別することで、ディスクを安全にターンテーブルに載置できるように形成している。このような従来技術としては、例えば、特開平１０−１１６４５９公報などに開示されている。図６は、このようにディスク１を中心位置に導いて判別する従来のディスク記録再生装置の一実施形態を示す図である。また、図７は、図６に示したディスク記録再生装置に大径及び小径のディスク１を挿入した動作を示す図である。
【０００３】
図６に示すように、従来のディスク記録再生装置の一実施形態は、本体６０内に挿入口６０ａを介して挿入した大径ディスク１ａまたは小径ディスク１ｂの外周を両側から中心に向かって指圧することで中心位置に導く検出アーム８０、９０を設けており、この検出アーム８０、９０の近傍に挿入口６０ａから挿入したディスク１を引き込むローラー１００を備えている。ここで、検出アーム８０、９０には、挿入口６０ａに向かってほぼ垂直に延在するピン状の当接部８０ａ、９０ａを備えている。また、本体６０内には、ローラー１００により引き込んだ小径ディスク１ｂを当接させて中心を芯出しする小径突部６０ｂと、大径ディスク１ａを引き込んで中心を芯出しする大径突部６０ｃとを各々配置している。また、本体６０内には、大径ディスク１ａを引き込んだ場合、大径ディスク１ａが小径突部６０ｂに当接することなく通過するように両側に傾斜して突出する一対の斜面６０ｄを設けている。
【０００４】
一方、検出アーム８０、９０は、本体６０内で挿入口６０ａの中心から両側に延在して中心が屈折する連結アーム７０により連結され、この連結アーム７０の屈折する中心を付勢するとともに、この付勢した中心から下方に延在する軸７０ａを設けて本体６０内に形成した溝６０ｅに嵌入している。この溝６０ｅは、図７に示すように、略中央で両側に広がるように切り欠いた凹部６０ｆを形成している。また、検出アーム８０、９０は、図６に示した挿入口６０ａから挿入したディスク１を当接部８０ａ、９０ａに当接させて開くように摺動し、この動作に応じて小径ディスク用の幅Ｄまでの動作と、大径ディスク用の幅Ｅまでの動作とを切り替えて行える構造を備えている。
【０００５】
即ち、従来のディスク記録再生装置の一実施形態は、例えば、小径ディスク１ｂを本体６０の左右いずれか片側（図６に示す点線）から挿入した場合、この小径ディスク１ｂが片側から本体６０内に挿入されて斜面６０ｄにより小径突部６０ｂを通過して引き込まれない構造を備えている。この場合、検出アーム８０、９０は、図７に示したように、小径ディスク１ｂに当接した片側の当接部８０ａを介して力を受け、片側の連結アーム７０に中心に向かう斜め方向の力を加えるため、中心の軸７０ａを溝６０ｅの凹部６０ｆに摺動させて嵌入させる。これにより当接部８０ａは、図６に示した斜面６０ｄまでの小径ディスク１ｂ用の幅Ｄ内に摺動幅が制限されるため、本体６０内に挿入した小径ディスク１ｂを斜面６０ｄに通過させることなく、中心位置に誘導して小径突部６０ｂに当接させることができる。
【０００６】
一方、大径ディスク１ａまたは小径ディスク１ｂの中心を挿入口６０ａのほぼ中心に合わせて挿入した場合、図７に示した検出アーム８０、９０の当接部８０ａ、９０ａがディスク１の外周に沿って両側に均等に指圧されて開くため、検出アーム８０、９０に連結した連結アーム７０が左右両側から均等に押されて軸７０を溝６０ｅの中心に沿って端部まで摺動させることができる。これにより当接部８０ａ、９０ａは、図６に示した大径ディスク１ａ用の幅Ｅまで摺動可能になり、ディスク１を本体６０内のほぼ中心位置に誘導でき、小径突部６０ｂまたは大径突部６０ｃまで引き込むことができる。
【０００７】
このように従来のディスク記録再生装置の一実施形態は、挿入口６０ａを介して本体６０内に挿入した大径または小径のデイスク１を検出アーム８０、９０の当接部８０ａ、９０ａが挿入状態に応じて中心位置に良好に導くことで、小径突部６０ｂまたは大径突部６０ｃでの芯出しを確実に行い、ディスク１を本体６０内のターンテーブル上に安全に載置できるように形成していた。
【０００８】
【発明が解決しようとする課題】
しかしながら、従来のディスク記録再生装置では、図６に示したように、本体内６０のローラー１００下部に検出アーム８０、９０、当接部８０ａ、９０ａ、及び連結アーム７０を配置しているため、本体６０内の前方側に他の部品を配置することが難しく重量も重くなり、装置全体の小型化、薄型化、及び軽量化を実現することが困難でるという不具合があった。
本発明はこのような課題を解決し、大径または小径のディスクを簡単な構造により判別でき、装置全体の小型化、薄型化、及び軽量化を実現できるディスク記録再生装置を提供することを目的とする。
【０００９】
【課題を解決するための手段】
本発明は上述の課題を解決するために、挿入口を介して本体内に挿入した大径または小径のディスクを搬入路の中心位置に導いて判別するディスク記録再生装置であって、本体内の挿入口近傍に中心から両側に延在して両端の表面に突出する突部を有してディスクの挿脱方向に摺動する連結アームと、この連結アーム両端の突部に各々一対に係合して中心に向かって付勢されて挿入口に延在する一対の当接部を有して本体内に挿入したディスクを当接させて両側に開くように摺動する検出アームとを備え、この検出アームが開くように摺動する動作はディスクの挿入状態に応じて連結アームが連動して突部の係合位置を変えることで大径ディスク用の動作と小径ディスク用の動作とに切り替え可能に設ける。
【００１０】
ここで、検出アームは、連結アームの突部を係合するスライド溝を有し、このスライド溝内の連結アームが摺動するディスク挿脱方向の一方に大径の幅まで案内する大径溝と他方に小径の幅まで案内する小径溝とを各々形成し、連結アームが連動して突部の係合位置を切り替えることが好ましい。また、連結アームは、突部を大径溝に係合させるディスク挿脱方向の一方に付勢され、一対の検出アームが均等に開くように摺動すると付勢により突部を大径溝に係合し、検出アームの片側のみが大きく摺動すると他方側の検出アームが大径溝への付勢をロックして突部を小径溝に係合することが好ましい。また、連結アーム及び検出アームは、本体内の挿入口近傍に配置され、この本体内の上部または下部いずれか一方に設置することが好ましい。
【００１１】
【発明の実施の形態】
次に、添付図面を参照して本発明によるディスク記録再生装置の実施の形態を詳細に説明する。図１は、本発明によるディスク記録再生装置の一実施形態を示す構成図である。また、図２は、図１に示した検出アーム３０、４０及び連結アーム２０の組み立て構造を示す図である。また、図３は、図１に示したディスク記録再生装置を上部から見た状態を示す図である。また、図４は、図３に示した大径ディスク１ａの挿入動作を示す動作説明図であり、図４（ａ）は挿入前の状態を、図４（ｂ）は大径ディスク１ａが当接部３０ａ、４０ａに当接した状態を、図４（ｄ）は大径ディスク１ａを半分以上挿入した状態を各々示している。また、図５は、図３に示した小径ディスク１ｂを種々の状態で挿入した動作を示す動作説明図であり、図５（ａ）は略中心に挿入した状態を、図５（ｂ）は中心から少しずらして挿入した状態を、図５（ｄ）は中心から大きくずらして挿入した状態を各々示している。
【００１２】
図１に示すように、本発明によるディスク記録再生装置の一実施形態は、図６に示した従来技術と同様に、本体１０内にＣＤ、ＣＤ−ＲＯＭ、ＤＶＤなどのディスク１を挿入して情報を記録または再生いずれか一方或いは両方の情報処理を行っており、この際、本体１０内に挿入した大径（約１２ｃｍ）ディスク１ａまたは小径（約８ｃｍ）ディスク１ｂのいずれかを中心位置に誘導してディスク径を判別可能にする一対の検出アーム３０、４０と、この一対の検出アーム３０、４０を連結する連結アーム２０とを備えている。また、本体１０内には、挿入口１０ａから挿入したディスク１を引き込むローラー５０を備え、このローラー５０により引き込んで小径ディスク１ｂを当接させて中心を芯出しする小径突部１０ｂと、大径ディスク１ａを引き込んで中心を芯出しする大径突部２０ａ、２０ｂとを各々配置している。また、本体１０内には、大径ディスク１ａを引き込んだ場合、大径ディスク１ａが小径突部１０ｂに当接することなく通過するように両側に傾斜して突出する一対の斜面１０ｄを各々設けている。
【００１３】
ここで、連結アーム２０は、図６に示した従来技術とは異なり、本体１０内の挿入口１０ａ近傍に中心から両側に延在して両端の表面にほぼ垂直に突出する突部２０ａ、２０ｂを有し、ディスク１の挿入方向に摺動可能に支持している。また、検出アーム３０、４０は、連結アーム２０両端の突部２０ａ、２０ｂに各々一対に係合して中心に向かって付勢され、挿入口１０ａに向かって延在する一対の当接部３０ａ、４０ａを有し、この当接部３０ａ、４０ａに本体１０内に挿入したディスク１を当接させて両側に開くように摺動する構造を備えている。この検出アーム３０、４０及び連結アーム２０は、本体１０内の挿入口１０ａ近傍に配置し、本体１０内下部の少ない配置スペースに設置している。また、検出アーム３０、４０は、ディスク１を当接部３０ａ、４０ａに当接させて開くように摺動するとともに、このディスク１の挿入状態に応じて連結アーム２０が連動して突部２０ａ、２０ｂの係合位置を変えることで大径ディスク用の動作と小径ディスク用の動作とを切り替え可能に設けている。
【００１４】
より詳しく説明すると、連結アーム２０は、図２に示すように、本体１０内の下部に棒状に突出する一対の突起１０ｅを設け、この突起１０ｅに嵌入してディスク挿入方向の図２に示した前後方向に摺動可能に支持している。一方、検出アーム３０、４０は、連結アーム２０の突部２０ａ、２０ｂに係合するスライド溝３２、４２を有し、このスライド溝３２、４２内に連結アーム２０が摺動する後方（図２参照）側に大径の幅まで案内する大径溝３２ａ、４２ａと、前方側に小径の幅まで案内する小径溝３２ｂ、４２ｂとを各々形成している。そして、検出アーム３０、４０は、本体１０内の中心に形成した突起１０ｆに向かって付勢しており、この付勢と逆方向に摺動することでスライド溝３２、４２に沿って連結アーム３０、４０が連動するように形成している。ここで、連結アーム２０は、突部２０ａ、２０ｂが大径溝３２ａ、４２ａに係合するようにディスク挿入方向の後方に付勢しており、一対の検出アーム３０、４０が均等に開くように摺動すると付勢により突部２０ａ、２０ｂを常に大径溝３２ａ、４２ａに係合させるように摺動する。また、例えば、片側の検出アーム４０のみが大きく摺動する場合（図５参照）、他方の検出アーム３０が突部２０ａを大径溝３２ａ側に摺動させる付勢をロックするため、突部２０ａ、２０ｂが小径溝３２ｂ、４２ｂに係合する構造になっている。このように本実施形態は、検出アーム３０、４０に連結アーム２０を連結して連動（リンク）させる構造により、ローラー５０の下に複雑な機構を配置せず、ソフト的に複雑なプロテクションも持つことなく簡単な機構（メカニカル）でディスク規制が行えるように形成している。ここで、本体１０内には、図３に示すように、浮遊状態に支持されたシャーシ１２と、このシャーシ１２にディスク１を載置するターンテーブル１４と、ディスク１の情報を処理する光ピックアップ１６とを各々備え、その他、図示されていない複数の部品を収納している。
【００１５】
このように形成された本発明によるディスク記録再生装置の一実施形態は、図４（ａ）に示すように、本体１０内で検出アーム３０、４０がお互いに中心に付勢された待機位置の状態でディスクを中心位置に誘導する。この際、検出アーム３０、４０は、当接部３０ａ、４０ａが大径または小径のディスク挿入状態に応じて、斜面１０ｄまでの幅Ａを摺動させる小径ディスク用の動作と、斜面１０ｄの外側までの幅Ｂを摺動させる大径ディスク用の動作とを各々切り替えて実行する。まず、大径（１２ｃｍ）ディスク１ａを挿入した場合、図４（ｂ）に示すように、大径ディスク１ａの外周に当接部３０ａ、４０ａが当接して検出アーム３０、４０を左右均等に開きながら大径ディスク１ａを中心位置に指圧して誘導する。この時、連結アーム２０は、突部２０ａ、２０ｂが検出アーム３０、４０の大径溝３２ａ、４２ａ側（後方）に係合するように付勢（図２参照）しているため、突部２０ａ、２０ｂを大径溝３２ａ、４２ａに係合させた状態でテーパ部に沿って摺動させる。従って、検出アーム３０、４０は、４（ａ）に示した幅Ｂの斜面１０ｄ外側まで当接部３０ａ、４０ａを摺動でき、図４（ｃ）に示すように、大径ディスク１ａの外径（１２ｃｍ）幅まで開いて中心位置に誘導する。ここで、大径ディスク１ａは、本体１０内に挿入した後、図示していない検出手段により検出アーム３０、４０の動作を検出してローラー５０を回転させて本体１０内に引き込んで大径突部１０ｃに当接させて中心位置を芯出しする。
【００１６】
一方、小径（８ｃｍ）ディスク１ｂを挿入する場合、図５（ａ）に示すように、まず、小径ディスク１ｂの中心を本体１０のほぼ中心に合わせて挿入すると、小径ディスク１ｂの外周に検出アーム３０、４０の当接部３０ａ、４０ａが当接して左右均等に開いていき、小径ディスク１ｂの外周を内側に指圧して中心に誘導する。この時、連結アーム２０は、前述した大径ディスク１ａと同様に、突部２０ａ、２０ｂを大径溝３２ａ、４２ａに沿って摺動させ、当接部３０ａ、４０ａを小径ディスク１ｂの外径（８ｃｍ）幅まで開いて中心位置に誘導する。
【００１７】
また、小径ディスク１ｂの中心を本体１０の中心から少しずらして挿入すると、図５（ｂ）に示すように、片側の検出アーム４０が多く摺動し、他方の摺動していない検出アーム３０が連結アーム２０を後方に摺動させて大径溝３２ａ、４２ａに係合させる付勢をロックするため、突部２０ｂが大径溝４２ａのテーパ部を通過せず小径溝４２ｂ側に係合状態が切り替わる。従って、片側で多く摺動する検出アーム４０は、突部２０ｂを係合する小径溝４２ｂの一端から段差までの幅Ｃ内で摺動し、当接部４０ａが小径ディスク１ｂの片側外周を指圧して徐々に中心位置に誘導する。
【００１８】
さらに、小径ディスク１ｂの中心を本体１０の中心から大きくずらして挿入すると、図５（ｃ）に示すように、片側の検出アーム４０のみが大きく摺動するため、この検出アーム４０は小径溝４２ｂの図５（ｂ）に示した幅Ｃ内でのみ摺動し、この幅Ｃ以上に摺動する場合、突部２０ｂが段差に当接してロックし、小径ディスク１ｂ用の摺動幅Ａ（図４参照）内に規制される。この小径溝４２ｂの幅Ｃは、図４（ａ）に示した幅Ａと同等、または幅Ａに比べて若干短く設定することで、当接部４０ａが斜面１０ｄを超えて外側に摺動することを防止できる。従って、小径ディスク１ｂは、図５（ｃ）に示した規制された検出アーム４０に当接して中心側に誘導され、ほぼ中心に移動して当接部３０ａ、４０ａを均等に指圧して摺動させることで本体１０内に挿入することができる。ここで、図５に示した小径ディスク１ｂを本体１０の右側から挿入した動作を説明したが、例えば、左側から挿入しても他方の当接部３０ａに当接して検出アーム３０が前述とは対称に動作して中心位置に誘導できる。
【００１９】
このように本発明によるディスク記録再生装置の一実施形態よると、スライド式の検出アーム３０、４０に小径溝３２ｂ、４２ｂと大径溝３２ａ、４２ａとを各々設けて連結アーム２０により係合位置を切り替える簡単な構造のため、図１に示したようにローラー５０の配置スペースと干渉せず、ローラー５０の下部に配置スペースを確保する必要がなくその分薄く形成でき、且つ、ディスクの規制機構を簡略化するとともに、装置全体の小型化、薄型化、及び軽量化を実現できる。
【００２０】
以上、本発明によるディスク記録再生装置の実施形態を詳細に説明したが、本発明は前述した実施の形態に限定されるものではなく、その要旨を逸脱しない範囲で変更可能である。
例えば、検出アーム及び連結アームを本体内の下部に設置したディスク記録再生装置の実施形態を説明したが、これに限定されるものではなく、本体内の上部に設置することも可能である。
また、スライド溝の前方に小径溝を後方に大径溝を各々形成したディスク記録再生装置の実施形態を説明したが、これに限定されるものではなく、例えば、連結アームをディスク挿入方向と逆方向に付勢して、スライド溝の前方に大径溝を形成し、後方に小径溝を形成することも可能である。
【００２１】
【発明の効果】
このように本発明によるディスク記録再生装置によれば、大径または小径のディスクを簡単な構造により判別でき、装置全体の小型化、薄型化、及び軽量化を実現できる。
【図面の簡単な説明】
【図１】本発明によるディスク記録再生装置の一実施形態を示す構成図。
【図２】図１に示した検出アーム及び連結アームの組み立て構造を示す図。
【図３】図１に示したディスク記録再生装置を上部から見た状態を示す図。
【図４】図３に示した大径ディスクの挿入動作を示す動作説明図。
【図５】図３に示した小径ディスクを種々の状態で挿入した動作を示す動作説明図。
【図６】従来のディスク記録再生装置の一実施形態を示す図。
【図７】図６に示したディスク記録再生装置に大径及び小径のディスクを挿入した動作を示す図。
【符号の説明】
１　　ディスク
１ａ　　大径ディスク
１ｂ　　小径ディスク
１０　　本体
１０ａ　　挿入口
１０ｂ　　小径突部
１０ｃ　　大径突部
１０ｄ　　斜面
１０ｅ、１０ｆ　　突起
１２　　シャーシ
１４　　ターンテーブル
１６　　光ピックアップ
２０　　連結アーム
２０ａ、２０ｂ　　突部
３０、４０　　検出アーム
３０ａ、４０ａ　　当接部
３２、４２　　スライド溝
３２ａ、４２ａ　　大径溝
３２ｂ、４２ｂ　　小径溝
５０　　ローラー
【図１】
2004022040.tif 000003
【図２】
2004022040.tif 000004
【図３】
2004022040.tif 000005
【図４】
2004022040.tif 000006
【図５】
2004022040.tif 000007
【図６】
2004022040.tif 000008
【図７】
2004022040.tif 000009